(57)【要約】【課題】広告主サイト側に負担をかけずにアフィリエイト環境を構築できる管理サイト装置及び当該管理サイト装置を備えるアフィリエイトシステムを提供する。【解決手段】商用ページを提供する広告主サイト４に備えられる広告主サイト装置４０と、広告主サイト４にリンクされた広告が掲載されたＷｅｂページを提供するアフィリエイトサイト６に備えられるアフィリエイトサイト装置６０と、広告主サイト装置４０とアフィリエイトサイト装置６０とに通信ネットワークＮを介して接続され、広告主サイト４からアフィリエイトサイト６への広告掲載料の支払いを管理する管理サイト２に備えられる管理サイト装置２０と、等を備えるアフィリエイトシステム１において、管理サイト装置２０を、広告主サイト４側のシステム環境により作成された情報を管理サイト２と広告主サイト４との間で共有可能なアフィリエイト環境を構築可能となるよう構成した。【選択図】図１
2008077312.tif 000002
【特許請求の範囲】
【請求項１】
商用ページを提供する広告主サイトに備えられる広告主サイト装置と、当該広告主サイトにリンクされた広告が掲載されたＷｅｂページを提供するアフィリエイトサイトに備えられるアフィリエイトサイト装置と、に通信ネットワークを介して接続され、当該広告主サイトから当該アフィリエイトサイトへの広告掲載料の支払いを管理する管理サイトに備えられる管理サイト装置において、
前記広告主サイト側のシステム環境により作成された情報を前記管理サイトと前記広告主サイトとの間で共有可能なアフィリエイト環境を構築するアフィリエイト環境構築手段を備えることを特徴とする管理サイト装置。
【請求項２】
請求項１に記載の管理サイト装置において、
前記アフィリエイト環境構築手段は、
前記広告主サイト側のシステム環境により作成された情報を前記管理サイトと前記広告主サイトとの間で共有可能に変換する変換手段を備えることを特徴とする管理サイト装置。
【請求項３】
請求項１又は２に記載の管理サイト装置において、
前記アフィリエイト環境構築手段は、
前記広告主サイト側のシステム環境を判別する判別手段を備え、
前記判別手段により判別された前記広告主サイト側のシステム環境により作成された情報を前記管理サイトと前記広告主サイトとの間で共有可能に変換することを特徴とする管理サイト装置。
【請求項４】
商用ページを提供する広告主サイトに備えられる広告主サイト装置と、当該広告主サイトにリンクされた広告が掲載されたＷｅｂページを提供するアフィリエイトサイトに備えられるアフィリエイトサイト装置と、当該広告主サイト装置と当該アフィリエイトサイト装置とに通信ネットワークを介して接続され、当該広告主サイトから当該アフィリエイトサイトへの広告掲載料の支払いを管理する管理サイトに備えられる管理サイト装置と、を備えるアフィリエイトシステムにおいて、
前記管理サイト装置は、
前記広告主サイト側のシステム環境により作成された情報を前記管理サイトと前記広告主サイトとの間で共有可能なアフィリエイト環境を構築するアフィリエイト環境構築手段を備え、
前記広告主サイト装置は、
前記広告掲載料の支払いの条件が成立すると、前記アフィリエイト環境構築手段により構築されたアフィリエイト環境を利用して、当該広告掲載料の支払いに関する情報を、前記管理サイト装置に対して送信する送信手段を備えることを特徴とするアフィリエイトシステム。
【発明の詳細な説明】
【技術分野】
【０００１】
本発明は、管理サイト装置及びアフィリエイトシステムに関する。
【背景技術】
【０００２】
従来、ホームページ等のＷｅｂページに、商用サイト等の広告主サイトにリンクされた広告を掲載し、そのＷｅｂページに訪問した顧客がそのＷｅｂページを経由して広告主サイトにて商品等を購入すると、そのＷｅｂページの管理人に報酬が支払われる成功報酬型の広告配信システム（アフィリエイトシステム）が知られている（例えば、特許文献１参照）。
【０００３】
このアフィリエイトシステムは、広告主サイトに備えられる広告主サイト装置と、広告主サイトにリンクされた広告が掲載されたＷｅｂページを提供するアフィリエイトサイトに備えられるアフィリエイトサイト装置と、広告主サイトとアフィリエイトサイトとを仲介して、アフィリエイトサイトに広告を配信したり、広告主からアフィリエイトサイトへの広告掲載料の支払い等を管理する管理サイトに備えられる管理サイトと、等から構成される。
【０００４】
ところで、管理サイトは、広告掲載料の支払い等を管理するために、その支払いに関する情報を広告主サイトと共有する必要がある。
そのため、広告主サイト側は、アフィリエイトシステムに参加するに際して、広告掲載料の支払いに関する情報を管理サイトと共有するためのソフトウエア及びデータなどを広告主サイト装置にインストールする必要がある。
【特許文献１】特開２００３−２０８５３８号公報
【発明の開示】
【発明が解決しようとする課題】
【０００５】
しかしながら、広告主サイト側は、広告主サイト側のシステム環境（ＵＮＩＸ（登録商標）やＷｉｎｄｏｗｓＮＴ（登録商標）など）を判別して、ソフトウエア及びデータなどを広告主サイト装置にインストールしなければならないため、広告主サイト側の負担が大きいという問題がある。
【０００６】
本発明の課題は、広告主サイト側に負担をかけずにアフィリエイト環境を構築できる管理サイト装置及び当該管理サイト装置を備えるアフィリエイトシステムを提供することにある。
【課題を解決するための手段】
【０００７】
上記課題を解決するために、請求項１に記載の発明は、
商用ページを提供する広告主サイトに備えられる広告主サイト装置と、当該広告主サイトにリンクされた広告が掲載されたＷｅｂページを提供するアフィリエイトサイトに備えられるアフィリエイトサイト装置と、に通信ネットワークを介して接続され、当該広告主サイトから当該アフィリエイトサイトへの広告掲載料の支払いを管理する管理サイトに備えられる管理サイト装置において、
前記広告主サイト側のシステム環境により作成された情報を前記管理サイトと前記広告主サイトとの間で共有可能なアフィリエイト環境を構築するアフィリエイト環境構築手段を備えることを特徴とする。
【０００８】
請求項２に記載の発明は、
請求項１に記載の管理サイト装置において、
前記アフィリエイト環境構築手段は、
前記広告主サイト側のシステム環境により作成された情報を前記管理サイトと前記広告主サイトとの間で共有可能に変換する変換手段を備えることを特徴とする。
【０００９】
請求項３に記載の発明は、
請求項１又は２に記載の管理サイト装置において、
前記アフィリエイト環境構築手段は、
前記広告主サイト側のシステム環境を判別する判別手段を備え、
前記判別手段により判別された前記広告主サイト側のシステム環境により作成された情報を前記管理サイトと前記広告主サイトとの間で共有可能に変換することを特徴とする。
【００１０】
請求項４に記載の発明は、
商用ページを提供する広告主サイトに備えられる広告主サイト装置と、当該広告主サイトにリンクされた広告が掲載されたＷｅｂページを提供するアフィリエイトサイトに備えられるアフィリエイトサイト装置と、当該広告主サイト装置と当該アフィリエイトサイト装置とに通信ネットワークを介して接続され、当該広告主サイトから当該アフィリエイトサイトへの広告掲載料の支払いを管理する管理サイトに備えられる管理サイト装置と、を備えるアフィリエイトシステムにおいて、
前記管理サイト装置は、
前記広告主サイト側のシステム環境により作成された情報を前記管理サイトと前記広告主サイトとの間で共有可能なアフィリエイト環境を構築するアフィリエイト環境構築手段を備え、
前記広告主サイト装置は、
前記広告掲載料の支払いの条件が成立すると、前記アフィリエイト環境構築手段により構築されたアフィリエイト環境を利用して、当該広告掲載料の支払いに関する情報を、前記管理サイト装置に対して送信する送信手段を備えることを特徴とする。
【発明の効果】
【００１１】
請求項１に記載の発明によれば、アフィリエイト環境構築手段によって、広告主サイト側のシステム環境により作成された情報を前記管理サイトと前記広告主サイトとの間で共有可能なアフィリエイト環境を構築することができる。
したがって、広告主サイト側は、自らソフトウエア及びデータなどを広告主サイト装置にインストールして、アフィリエイト環境を構築する必要がないため、負担がかからない。
【００１２】
請求項２に記載の発明によれば、請求項１に記載の発明と同様の効果が得られることは無論のこと、アフィリエイト環境構築手段は、変換手段によって、広告主サイト側のシステム環境により作成された情報を管理サイトと広告主サイトとの間で共有可能に変換することができる。
すなわち、広告主サイト側のシステム環境により作成された情報を、管理サイト側のシステム環境に適合する情報に変換することができるため、確実に、広告主サイト側のシステム環境により作成された情報を管理サイトと広告主サイトとの間で共有することができる。
【００１３】
請求項３に記載の発明によれば、請求項１又は２に記載の発明と同様の効果が得られることは無論のこと、アフィリエイト環境構築手段は、広告主サイト側のシステム環境を判別する判別手段を備え、判別手段により判別された広告主サイト側のシステム環境により作成された情報を管理サイトと広告主サイトとの間で共有可能に変換することができる。
したがって、広告主サイト側のシステム環境を判別して、広告主サイト側のシステム環境により作成された情報を、管理サイト側のシステム環境に適合する情報に変換することができるため、より一層確実に、広告主サイト側のシステム環境により作成された情報を管理サイトと広告主サイトとの間で共有することができる。
【００１４】
請求項４に記載の発明によれば、管理サイト装置は、アフィリエイト環境構築手段によって、広告主サイト側のシステム環境により作成された情報を管理サイトと広告主サイトとの間で共有可能なアフィリエイト環境を構築することができ、広告主サイト装置は、送信手段によって、広告掲載料の支払いの条件が成立すると、アフィリエイト環境構築手段により構築されたアフィリエイト環境を利用して、当該広告掲載料の支払いに関する情報を、管理サイト装置に対して送信することができる。
したがって、広告主サイト側は、アフィリエイトシステムに参加するに際して、自らソフトウエア及びデータなどを広告主サイト装置にインストールして、アフィリエイト環境を構築する必要がないため、負担がかからない。
【発明を実施するための最良の形態】
【００１５】
以下、図を参照して、本発明にかかる管理サイト装置及び当該管理サイト装置を備えるアフィリエイトシステムの最良の形態を詳細に説明する。なお、発明の範囲は図示例に限定されない。
【００１６】
＜アフィリエイトシステムの構成＞
アフィリエイトシステム１は、いわゆる成功報酬型の広告配信システムであり、例えば、図１に示すように、商用ページを提供する広告主サイト４に備えられる広告主サイト装置４０と、広告主サイト４にリンクされた広告（例えば、バナー広告）が掲載されたＷｅｂページを提供するアフィリエイトサイト６に備えられるアフィリエイトサイト装置６０と、広告主サイト装置４０とアフィリエイトサイト装置６０とに通信ネットワークＮを介して接続され、広告主サイト４からアフィリエイトサイト６への広告掲載料の支払い等を管理する管理サイト２に備えられる管理サイト装置２０と、アフィリエイトサイト６により提供されるＷｅｂページを経由して広告主サイト４にて商品等を購入する顧客が使用する顧客端末装置８０と、等を備えて構成される。
【００１７】
通信ネットワークＮは、インターネット、ＬＡＮ（Local Area Network）、ＷＡＮ（Wide Area Network）などの通信ネットワークであり、電話回線網、ＩＳＤＮ（Integrated Services Digital Network）回線網、広域帯通信回線網、専用線、移動体通信網、通信衛星回線、ＣＡＴＶ（Community Antenna TeleVision）回線網、光通信回線、無線通信回線等の各種通信回線と、それらを接続するインターネットサービスプロバイダを含む。
【００１８】
ここで、アフィリエイトシステム１により提供されるサービスの概要について説明する。
アフィリエイトシステム１においては、例えば、まず、管理サイト２が、１又は複数の広告主サイト４との間で、広告配信の管理や広告掲載料の支払いの管理などの運用代行に関する契約を結び、その契約に基づいて、広告主サイト４にリンクされたバナー広告を掲載したＷｅｂページを提供するアフィリエイトサイト６を募集するようになっている。
そして、例えば、顧客端末装置８０のユーザ（顧客）が、アフィリエイトサイト６により提供されるＷｅｂページに掲載されたバナー広告を介して広告主サイト４にアクセスして、広告主サイト４にてオンラインショッピングを行うと、その報酬として、オンラインショッピングでの売上実績等に応じた対価が、広告掲載料という形で、管理サイト２を介して、広告主サイト４からアフィリエイトサイト６へ支払われるようになっている。
【００１９】
＜管理サイト装置の構成＞
管理サイト装置２０は、管理サイト２に備えられている。
管理サイト２は、例えば、アフィリエイトサイト６により提供されるＷｅｂページに掲載されるバナー広告の内容更新等に関する広告配信の管理や、広告主サイト４からアフィリエイトサイト６へ支払われる広告掲載料の算出・支払い等に関する広告掲載料の支払いの管理などを行っている。
【００２０】
管理サイト装置２０は、例えば、図２に示すように、通信制御部２１と、記憶部２２と、入力部２３と、表示部２４と、制御部２５と、等を備えて構成される。
【００２１】
通信制御部２１は、例えば、通信ネットワークＮ上の各種機器（例えば、広告主サイト装置４０やアフィリエイトサイト装置６０など）と双方向通信を行って、当該各種機器との間で各種情報の送受信を行う。
【００２２】
記憶部２２は、例えば、磁気的記録媒体、光学的記録媒体、若しくは半導体メモリで構成される。
記憶部２２は、例えば、図２に示すように、ソフトウエア及びデータを記憶する「ソフトウエア及びデータ」記憶領域と、アフィリエイトシステム１に参加している広告主サイト４に関する情報を記憶する「広告主サイト情報」記憶領域と、広告主サイト装置４０から送信された広告掲載料の支払いに関する支払い情報を記憶する「支払い情報」記憶領域と、等を有している。
【００２３】
記憶部２２の「ソフトウエア及びデータ」記憶領域に記憶されるソフトウエア及びデータは、例えば、複数のシステム環境（ＵＮＩＸ（登録商標）やＷｉｎｄｏｗｓＮＴ（登録商標）など）の各々に対応し、広告掲載料の支払いに関する支払い情報等を管理サイトと広告主サイトとの間で共有可能にするアフィリエイト環境を管理サイト装置２０と広告主サイト装置４０との間で構築するためのソフトウエア及びデータである。
具体的には、ソフトウエア及びデータは、例えば、支払い情報等を管理サイト２と広告主サイト４との間で共有可能とするための変換ソフト（例えば、管理サイト２によって、広告主サイト４から支払い情報等を集めることを可能とするための変換ソフト等）や、支払い情報等を管理サイト２と広告主サイト４との間で共有可能とするためのデータなどである。
【００２４】
また、記憶部２２の「広告主サイト情報」記憶領域には、例えば、アフィリエイトシステム１に参加している広告主サイト４のシステム環境と、その広告主サイト４を識別するための広告主サイトＩＤと、が対応付けられて記憶される。
【００２５】
入力部２３は、例えば、カーソルキー、文字／数字キー、各種機能キー等から構成され、ユーザのキー操作に伴う押下信号を制御部２５に出力する。また、入力部２３は、必要に応じて、マウスやタッチパネルなどのポインティングデバイスや、バーコードリーダ、ノートパッド、スキャナ、ＯＣＲ装置など、その他の入力装置を備えるものとしてもよい。
【００２６】
表示部２４は、例えば、ＬＣＤ（Liquid Crystal Display）パネルなどから構成され、制御部２５から入力される表示信号に従って所与の表示処理を行う。
【００２７】
制御部２５は、例えば、図２に示すように、ＣＰＵ（Central Processing Unit）２５１と、ＲＡＭ（Random Access Memory）２５２と、ＲＯＭ（Read Only Memory）２５３と、等を備えている。
【００２８】
ＣＰＵ２５１は、ＲＯＭ２５３に記憶された管理サイト装置２０用の各種処理プログラムに従って各種の制御動作を行う。
【００２９】
ＲＡＭ２５２は、ＣＰＵ２５１によって実行される処理プログラムなどを展開するためのプログラム格納領域や、入力データや上記処理プログラムが実行される際に生じる処理結果などを格納するデータ格納領域などを備える。
【００３０】
ＲＯＭ２５３は、管理サイト装置２０で実行可能なシステムプログラム、当該システムプログラムで実行可能な各種処理プログラム、これら各種処理プログラムを実行する際に使用されるデータ、ＣＰＵ２５１によって演算処理された処理結果のデータなどを記憶する。なお、プログラムは、コンピュータが読み取り可能なプログラムコードの形でＲＯＭ２５３に記憶されている。
【００３１】
具体的には、ＲＯＭ２５３は、例えば、図２に示すように、判別プログラム２５３ａと、変換プログラム２５３ｂと、等を記憶している。
【００３２】
判別プログラム２５３ａは、例えば、通信ネットワークＮを介して、広告主サイト４側のシステム環境を判別する機能を、ＣＰＵ２５１に実現させる。
【００３３】
具体的には、ＣＰＵ２５１は、例えば、通信制御部２１に制御信号を入力して、広告主サイト４側のシステム環境を判別するための判別信号を要求する判別要求信号を、広告主サイト装置４０に対して送信させ、そして、当該判別要求信号に従って広告主サイト装置４０から送信された広告主サイト４側のシステム環境を判別する判別信号に基づいて、広告主サイト４側のシステム環境を判別する。
より具体的には、例えば、ＣＰＵ２５１は、一のシステム環境に対応した判別要求信号（ダミー信号）を広告主サイト４側に送信すると、広告主サイト４側が当該一のシステム環境の場合、判別要求信号に応じて特定の判別信号が広告主サイト４側から返信されるようになっており、この特定の判別信号を検出することで、広告主サイト４が当該一のシステム環境であると判別する。このように、ＣＰＵ２５１は、広告主サイト４のシステム環境が特定されるまで、予め設定された各システム環境（ＵＮＩＸ（登録商標）やＷｉｎｄｏｗｓＮＴ（登録商標）など）に対応する判別要求信号を順次送信する。
ここで、判別手段は、判別プログラム２５３ａを実行したＣＰＵ２５１と、通信制御部２１と、等から構成される。
【００３４】
変換プログラム２５３ｂは、例えば、記憶部２２の「ソフトウエア及びデータ」記憶領域に記憶された複数のソフトウエア及びデータの中から、判別プログラム２５３ａを実行したＣＰＵ２５１により判別された広告主サイト４側のシステム環境に対応するソフトウエア及びデータを抽出し、当該抽出したソフトウエア及びデータを用いて、広告主サイト４側のシステム環境により作成されて広告主サイト装置４０から送信された支払い情報等を、管理サイト２と広告主サイト４との間で共有可能に変換する機能を、ＣＰＵ２５１に実現させる。
【００３５】
すなわち、ＣＰＵ２５１は、例えば、広告主サイト４側のシステム環境により作成された支払い情報等を、管理サイト２側のシステム環境に適合した支払い情報等に変換することによって、広告主サイト４側のシステム環境により作成された支払い情報等を、管理サイト２と広告主サイト４との間で共有可能に変換する。
ＣＰＵ２５１は、かかる変換プログラム２５３ｂを実行することによって、変換手段として機能する。
【００３６】
ここで、アフィリエイト環境構築手段は、通信制御部２１と、判別プログラム２５３ａを実行したＣＰＵ２５１と、変換プログラム２５３ｂを実行したＣＰＵ２５１と、等から構成される。
【００３７】
（広告主サイト装置の構成）
広告主サイト装置４０は、広告主サイト４に備えられている。
広告主サイト４は、例えば、商用ページを提供して、商品等の販売を、インターネットを通じて行う広告主の商用サイトである。
【００３８】
広告主サイト装置４０は、例えば、図３に示すように、通信制御部４１と、制御部４２と、等を備えて構成される。
【００３９】
通信制御部４１は、例えば、通信ネットワークＮ上の各種機器（例えば、管理サイト装置２０や顧客端末装置８０など）と双方向通信を行って、当該各種機器との間で各種情報の送受信を行う。
【００４０】
制御部４２は、例えば、図３に示すように、ＣＰＵ４２１と、ＲＡＭ４２２と、ＲＯＭ４２３と、等を備えている。
【００４１】
ＣＰＵ４２１は、ＲＯＭ４２３に記憶された広告主サイト装置４０用の各種処理プログラムに従って各種の制御動作を行う。
【００４２】
ＲＡＭ４２２は、ＣＰＵ４２１によって実行される処理プログラムなどを展開するためのプログラム格納領域や、入力データや上記処理プログラムが実行される際に生じる処理結果などを格納するデータ格納領域などを備える。
【００４３】
ＲＯＭ４２３は、広告主サイト装置４０で実行可能なシステムプログラム、当該システムプログラムで実行可能な各種処理プログラム、これら各種処理プログラムを実行する際に使用されるデータ、ＣＰＵ４２１によって演算処理された処理結果のデータなどを記憶する。なお、プログラムは、コンピュータが読み取り可能なプログラムコードの形でＲＯＭ４２３に記憶されている。
【００４４】
具体的には、ＲＯＭ４２３は、例えば、図３に示すように、送信制御プログラム４２３ａ等を記憶している。
【００４５】
送信制御プログラム４２３ａは、例えば、広告掲載料の支払いの条件が成立すると、通信制御部４１に制御信号を入力して、通信ネットワークＮを介して、管理サイト装置２０により構築されたアフィリエイト環境を利用して、当該広告掲載料の支払いに関する支払い情報等を、管理サイト装置２０に対して送信させる機能を、ＣＰＵ４２１に実現させる。
【００４６】
具体的には、管理サイト装置２０によりアフィリエイト環境が構築されると、ＣＰＵ４２１は、広告掲載料の支払いの条件が成立した際に、支払い情報を管理サイト装置２０に対して送信することができるようになる。
【００４７】
ここで、広告掲載料の支払いの条件が成立した場合とは、例えば、顧客端末装置８０のユーザ（顧客）が、アフィリエイトサイト６を経由して広告主サイト４にアクセスして、広告主サイト４にて商品等を購入した場合である。
また、支払い情報とは、例えば、オンラインショッピングでの売上実績等に応じた対価としての広告掲載料に関する情報等である。
【００４８】
ここで、送信手段は、通信制御部４１と、送信制御プログラム４２３ａを実行したＣＰＵ４２１と、等から構成される。
【００４９】
（アフィリエイトサイト装置）
アフィリエイトサイト装置６０は、アフィリエイトサイト６に備えられている。
アフィリエイトサイト６は、例えば、広告主サイト４にリンクされたバナー広告が掲載されたＷｅｂページを提供するサイトである。
なお、アフィリエイトサイト装置６０は、例えば、一般的なパーソナルコンピュータであるため、その詳細な説明については省略する。
【００５０】
（顧客端末装置）
顧客端末装置８０は、例えば、アフィリエイトサイト６により提供されるＷｅｂページに掲載されたバナー広告を介して広告主サイト４にて商品等を購入する顧客が使用する装置である。
なお、顧客端末装置８０は、例えば、一般的なパーソナルコンピュータであるため、その詳細な説明については省略する。
【００５１】
＜アフィリエイトシステムにおける処理＞
次に、アフィリエイトシステム１における処理について説明する。
【００５２】
（システム環境判別処理）
まず、アフィリエイトシステム１における広告主サイト４側のシステム環境の判別に関する処理について、図４のフローチャートを参照して説明する。
【００５３】
ここで、広告主サイト４は、アフィリエイトシステム１への参加に際して、例えば、管理サイト２にアフィリエイトシステム１への参加申請をし、そして、管理サイト２に審査されて当該参加を許可するか否かが判断されるようになっている。
そして、システム環境判別処理（図４）は、例えば、管理サイト２が、広告主サイト４のアフィリエイトシステム１への参加を許可した場合に、その管理サイト２に備えられる管理サイト装置２０とその広告主サイト４に備えられる広告主サイト装置４０との間で実行される。
【００５４】
管理サイト装置２０のＣＰＵ２５１は、判別プログラム２５３ａを実行して、通信制御部２１に制御信号を入力して、広告主サイト４側のシステム環境を判別するための判別信号を要求する判別要求信号を、広告主サイト装置４０に対して送信させる（ステップＳ１１）。
【００５５】
ステップＳ１１で送信された判別要求信号を受信すると、広告主サイト装置４０のＣＰＵ４２１は、通信制御部４１に制御信号を入力して、広告主サイト４側のシステム環境を判別する判別信号を、管理サイト装置２０に対して送信させる（ステップＳ１２）。
なお、ステップＳ１２では、ＣＰＵ４２１は、例えば、判別信号とともに、自身（広告主サイト４）を識別するための広告主サイトＩＤを管理サイト装置２０に対して送信させることとする。
【００５６】
ステップＳ１２で送信された判別信号を受信すると、管理サイト装置２０のＣＰＵ２５１は、当該判別信号に基づいて、広告主サイト４側のシステム環境を判別する（ステップＳ１３）。
【００５７】
次いで、ＣＰＵ２５１は、ステップＳ１３にて判別した広告主サイト４側のシステム環境と、ステップＳ１２で判別信号とともに送信された広告主サイトＩＤと、を対応付けて、記憶部２２の「広告主サイト情報」記憶領域に記憶させて（ステップＳ１４）、本処理を終了する。
【００５８】
（支払い情報保存処理）
次に、アフィリエイトシステム１における管理サイト装置２０への支払い情報の保存に関する処理について、図５のフローチャートを参照して説明する。
【００５９】
顧客端末装置８０が、アフィリエイトサイト６にアクセスすると（ステップＳ３１）、アフィリエイトサイト装置６０は、当該アクセスに応じたＷｅｂページを、顧客端末装置８０に対して送信する（ステップＳ３２）。
【００６０】
ステップＳ３２で送信されたＷｅｂページを受信すると、顧客端末装置８０は、当該Ｗｅｂページを表示する（ステップＳ３３）。
【００６１】
次いで、ステップＳ３３で送信されたＷｅｂページに掲載されたバナー広告がクリックされると（ステップＳ３４）、顧客端末装置８０は、当該クリックされたバナー広告がリンクする広告主サイト４にアクセスする（ステップＳ３５）。
【００６２】
なお、Ｗｅｂページに掲載されたバナー広告には、例えば、当該バナー広告が掲載されたＷｅｂページを送信してきたアフィリエイトサイト装置６０を備えるアフィリエイトサイト６を識別するためのアフィリエイトサイトＩＤと、当該バナー広告がリンクする広告主サイト４を識別するための広告主サイトＩＤと、当該バナー広告が掲載されたＷｅｂページを送信してきたアフィリエイトサイト装置６０を備えるアフィリエイトサイト６と当該バナー広告がリンクする広告主サイト４とを仲介する管理サイト２を識別するための管理サイトＩＤと、等が組み込まれていることとする。
そして、ステップＳ３５では、顧客端末装置８０は、広告主サイト４にアクセスする際、例えば、自身（顧客端末装置８０）を識別するための顧客端末ＩＤと、バナー広告に組み込まれていたアフィリエイトサイトＩＤと、バナー広告に組み込まれていた管理サイトＩＤと、等を広告主サイト装置４０に対して送信するようになっている。
【００６３】
ステップＳ３５で顧客端末装置８０が広告主サイト４にアクセスすると、広告主サイト装置４０のＣＰＵ４２１は、所定の記憶領域（例えば、クッキーフォルダ）内に、当該アクセスに伴って送信された顧客端末ＩＤとアフィリエイトサイトＩＤと管理サイトＩＤと等を保存し（ステップＳ３６）、そして、通信制御部４１に制御信号を入力して、当該アクセスに応じた商用ページを、顧客端末装置８０に対して送信させる（ステップＳ３７）。
なお、広告主サイト装置４０から送信される商用ページには、例えば、顧客が当該商用ページにて商品等を購入する際にクリックされる「商品購入ボタン」が含まれていることとする。
【００６４】
ステップＳ３７で送信された商用ページを受信すると、顧客端末装置８０は、当該商用ページを表示する（ステップＳ３８）。
【００６５】
次いで、ステップＳ３８で表示された商用ページに含まれる「商品購入ボタン」がクリックされると（ステップＳ３９）、顧客端末装置８０は、当該クリックされた「商品購入ボタン」に対応する商品購入情報を、広告主サイト装置４０に対して送信する（ステップＳ４０）。
【００６６】
ステップＳ４０で送信された商品購入情報を受信すると、広告主サイト装置４０のＣＰＵ４２１は、広告掲載料の支払いの条件が成立したと判断して、送信制御プログラム４２３ａを実行して、通信制御部４２に制御信号を入力して、支払い情報を、管理サイト装置２０に対して送信させる（ステップＳ４１）。
なお、ステップＳ４１では、ＣＰＵ４２１は、支払い情報とともに、例えば、商品購入情報を送信してきた顧客端末装置８０を識別するための顧客端末ＩＤと、ステップＳ３６にて保存されたアフィリエイトサイトＩＤのうちの当該顧客端末ＩＤに対応するアフィリエイトサイトＩＤと、自身（広告主サイト４）を識別するための広告主サイトＩＤと、等を管理サイト装置２０に対して送信させることとする。
【００６７】
ステップＳ４１にて送信された支払い情報を受信すると、管理サイト装置２０のＣＰＵ２５１は、記憶部２２の「広告主サイト情報」記憶された複数のシステム環境の中から、当該支払い情報とともに送信された広告主サイトＩＤに対応するシステム環境を抽出し、そして、変換プログラム２５３ｂを実行して、記憶部２２の「ソフトウエア及びデータ」記憶領域に記憶された複数のソフトウエア及びデータの中から、当該抽出したシステム環境に対応するソフトウエア及びデータを抽出し、当該抽出したソフトウエア及びデータを用いて、当該支払い情報を、管理サイト２と広告主サイト４との間で共有可能に変換する（ステップＳ４２）。
これによって、広告主サイト４側のシステム環境により作成された支払い情報を管理サイト２と広告主サイト４との間で共有可能なアフィリエイト環境が構築される。
【００６８】
次いで、ステップＳ４２にて変換された支払い情報を、記憶部２２の「支払い情報」記憶領域に保存して（ステップＳ４３）、本処理を終了する。
これによって、管理サイト２と広告主サイト４との間で広告掲載料の支払いの関する支払い情報が共有されて、管理サイト２により、広告掲載料の支払いが管理されることになる。
【００６９】
本発明における管理サイト装置２０を備えるアフィリエイトシステム１によれば、商用ページを提供する広告主サイト４に備えられる広告主サイト装置４０と、広告主サイト４にリンクされた広告が掲載されたＷｅｂページを提供するアフィリエイトサイト６に備えられるアフィリエイトサイト装置６０と、広告主サイト装置４０とアフィリエイトサイト装置６０とに通信ネットワークＮを介して接続され、広告主サイト４からアフィリエイトサイト６への広告掲載料の支払いを管理する管理サイト２に備えられる管理サイト装置２０と、等を備えている。
そして、管理サイト装置２０は、広告主サイト４側のシステム環境により作成された情報（支払い情報等）を管理サイト２と広告主サイト４との間で共有可能なアフィリエイト環境を構築することができ、広告主サイト装置４０は、送信制御プログラム４２３ａを実行したＣＰＵ４２１と通信制御部４１によって、広告掲載料の支払いの条件が成立すると、管理サイト装置２０により構築されたアフィリエイト環境を利用して、当該広告掲載料の支払いに関する支払い情報を、管理サイト装置２０に対して送信することができる。
したがって、広告主サイト４側は、アフィリエイトシステム１に参加するに際して、自らソフトウエア及びデータなどを広告主サイト装置４０にインストールして、アフィリエイト環境を構築する必要がないため、負担がかからない。
【００７０】
具体的には、管理サイト装置２０は、判別プログラム２５３ａを実行したＣＰＵ２５１と通信制御部２１によって、広告主サイト４側のシステム環境を判別することができ、変換プログラム２５３ｂを実行したＣＰＵ２５１によって、広告主サイト４側のシステム環境により作成された情報（支払い情報等）を管理サイト２と広告主サイト４との間で共有可能に変換することができる。
したがって、広告主サイト４側のシステム環境を判別して、広告主サイト４側のシステム環境により作成された支払い情報等を、管理サイト４側のシステム環境に適合する支払い情報等に変換することができるため、より一層確実に、広告主サイト４側のシステム環境により作成された情報を管理サイト２と広告主サイト４との間で共有することができる。
【００７１】
なお、本発明は、上記した実施の形態のものに限るものではなく、その要旨を逸脱しない範囲で適宜変更可能である。
【００７２】
広告主サイト４にリンクされた広告は、バナー広告の限りではなく、いわゆるインターネット広告であれば、例えば、画像ファイルを使用せずに、広告主サイト４上の短い文章にリンクを添えたテキスト広告等であってもよい。
【００７３】
管理サイト装置２０は、例えば、広告主サイト４側のシステム環境を判別して、自動的に、広告主サイト装置４０に、広告主サイト４側のシステム環境により作成された情報（支払い情報等）を管理サイト２と広告主サイト４との間で共有可能なアフィリエイト環境を構築するソフトウエア及びデータをインストールしてもよい。
この場合、例えば、広告主サイト装置４０に、広告主サイト４側のシステム環境により作成された情報（支払い情報等）を管理サイト２と広告主サイト４との間で共有可能なアフィリエイト環境を構築するソフトウエア及びデータをインストールした時点で、アフィリエイト環境が構築されたことになる。
そして、この場合、例えば、広告主サイト装置４０から管理サイト装置２０に対して送信される支払い情報等は、既に管理サイト４側のシステム環境に適合する情報になっており、管理サイト装置２０にて支払い情報等を変換する必要がないため、ＲＯＭ２５３に変換プログラム２５３ｂを記憶する必要はない。
【図面の簡単な説明】
【００７４】
【図１】本発明のアフィリエイトシステムの全体的構成を示すブロック図である。
【図２】本発明の管理サイト装置の機能的構成を示すブロック図である。
【図３】本発明のアフィリエイトシステムに備えられた広告主サイト装置の機能的構成を示すブロック図である。
【図４】本発明のアフィリエイトシステムにおける広告主サイト側のシステム環境の判別に関する処理について説明するためのフローチャートである。
【図５】本発明のアフィリエイトシステムにおける管理サイト装置への支払い情報の保存に関する処理について説明するためのフローチャートである。
【符号の説明】
【００７５】
１  アフィリエイトシステム
２  管理サイト
２０  管理サイト装置
２１  通信制御部（アフィリエイト環境構築手段、判別手段）
２５１  ＣＰＵ（アフィリエイト環境構築手段、判別手段、変換手段）
２５３ａ  判別プログラム（アフィリエイト環境構築手段、判別手段）
２５３ｂ  変換プログラム（アフィリエイト環境構築手段、変換手段）
４  広告主サイト
４０  広告主サイト装置
４１  通信制御部（送信手段）
４２１  ＣＰＵ（送信手段）
４２３ａ  送信制御プログラム（送信手段）
６  アフィリエイトサイト
６０  アフィリエイトサイト装置
Ｎ  通信ネットワーク
【図１】
2008077312.tif 000003
【図２】
2008077312.tif 000004
【図３】
2008077312.tif 000005
【図４】
2008077312.tif 000006
【図５】
2008077312.tif 000007